(57)【特許請求の範囲】
【請求項１】
上下に折り込み部を有することにより前後のフィルム部分が形成されたパウチにおいて、
内容物の充填に伴い、前記上下の折り込み部が開放して、上下の折り込み部の間の領域が略円筒形状を形成するパウチであって、
少なくとも上方の前記前後のフィルム部分が先細り形状であり、
前記パウチの、左右のシールの上下の折り込み部の間の領域を折り込むことにより、上下の折り込み部の間の領域が略円筒形状で下の折り込み部が開放した形態のパウチを形成し、
前記パウチの外周を、シュリンクラベル、ストレッチラベル、シールラベル、紙スリーブのいずれかで、巻装することにより、前記パウチの前記左右のシールを折り込み固定して、略円筒形状のパウチを形成することを特徴とする、円筒パウチ。
【請求項２】
上下に折り込み部を有することにより前後のフィルム部分が形成されたパウチにおいて、
内容物の充填に伴い、前記上下の折り込み部が開放して、上下の折り込み部の間の領域が略円筒形状を形成するパウチであって、
前記パウチの、下方の前のフィルム部分と後のフィルム部分をシールしてポイントシールを形成するとともに、
前記ポイントシールを、左右シールの下方の折り込み部との交点近傍に形成し、
前記パウチの、前記左右のシールの上下の折り込み部の間の領域を折り込むことにより、上下の折り込み部の間の領域が略円筒形状で下の折り込み部のポイントシールより下方の領域が開放した形態のパウチを形成し、
前記パウチの外周を、シュリンクラベル、ストレッチラベル、シールラベル、紙スリーブのいずれかで、巻装することにより、前記パウチの前記左右のシールを折り込み固定して、略円筒形状のパウチを形成することを特徴とする、円筒パウチ。
【請求項３】
前記パウチの前記左右のシールを折り込み、接着剤、熱溶着、ホットメルト、折り癖のいずれかで固定していることを特徴とする、請求項１または２に記載の円筒パウチ。
【請求項４】
上下何れかの折り込み部の、前後何れかのフィルム部分に、注出口の下方に形成された接着基部を介して該注出口が取り付けられていることを特徴とする、請求項１乃至３のいずれかに記載の円筒パウチ。
【請求項５】
前記注出口は、前記接着基部の側面より外方へと突出しないように形成されていることを特徴とする、請求項４に記載の円筒パウチ。
【請求項６】
前記接着基部の形状が、前記円筒パウチの円周に沿った形状を有することを特徴とする、請求項４または５に記載の円筒パウチ。
【請求項７】
上方の前記前後のフィルム部分の一方を下方に折り込んだ状態で、上方の前記前後のフィルム部分の他方に前記注出口を取り付けることを特徴とする、請求項４乃至６のいずれかに記載の円筒パウチ。
【請求項８】
上下何れかの、前記前後のフィルム部分の高さが、異なることを特徴とする、請求項１乃至７のいずれかに記載の円筒パウチ。
【請求項９】
前記パウチに、前記左右のシールに沿って折り癖を形成したことを特徴とする、請求項１乃至８のいずれかに記載の円筒パウチ。
【発明の詳細な説明】
【技術分野】
【０００１】
本発明は、上下に折り込み部を有することにより前後のフィルム部分が形成されたパウチに関する。
【背景技術】
【０００２】
従来、図１７に示すように、主にフィルムを用いたパウチ３０が知られており、各種飲料の容器に用いられている。このパウチ３０は、前記缶容器やペットボトルとは異なり、使用後の減容化に優れており、携帯性に優れ持ち運びやすいことから、急速にその需要が高まっている。
【０００３】
しかしながら、前記パウチ３０を前記缶容器やペットボトルと比較した場合、軟フィルムを素材として用いているため、胴部の保型性が低く、自立安定性に欠けるという欠点がある。特に、缶容器やペットボトルが円筒形状であるのに対し、パウチ３０のほとんどが、略四角形状であり、陳列した際のパウチ自立時に、パウチ３０の胴部が変形しやすく自立性に欠けるといった問題がある。さらに前記パウチ３０は、店頭陳列に限られ、缶飲料やペットボトルに比べて、陳列性や意匠性に欠けるといった問題があった。
【０００４】
【特許文献１】特開平１１−３３３９５０号公報
【発明の開示】
【発明が解決しようとする課題】
【０００５】
上記課題を解決すべく、本発明の円筒パウチは、簡単な構成により、胴部の保形性および自立安定性を向上した円筒パウチを提供することを課題とする。さらには、陳列性や意匠性を向上した、円筒パウチを提供することを課題とする。
【課題を解決するための手段】
【０００６】
本発明の請求項１記載の発明は、上下に折り込み部を有することにより前後のフィルム部分が形成されたパウチにおいて、内容物の充填に伴い、前記上下の折り込み部が開放して、上下の折り込み部の間の領域が略円筒形状を形成するパウチであって、少なくとも上方の前記前後のフィルム部分が先細り形状であり、前記パウチの、左右のシールの上下の折り込み部の間の領域を折り込むことにより、上下の折り込み部の間の領域が略円筒形状で下の折り込み部が開放した形態のパウチを形成し、前記パウチの外周を、シュリンクラベル、ストレッチラベル、シールラベル、紙スリーブのいずれかで、巻装することにより、前記パウチの前記左右のシールを折り込み固定して、略円筒形状のパウチを形成することを特徴とする、円筒パウチである。
また、請求項２記載の発明は、上下に折り込み部を有することにより前後のフィルム部分が形成されたパウチにおいて、内容物の充填に伴い、前記上下の折り込み部が開放して、上下の折り込み部の間の領域が略円筒形状を形成するパウチであって、前記パウチの、下方の前のフィルム部分と後のフィルム部分をシールしてポイントシールを形成するとともに、前記ポイントシールを、左右シールの下方の折り込み部との交点近傍に形成し、前記パウチの、前記左右のシールの上下の折り込み部の間の領域を折り込むことにより、上下の折り込み部の間の領域が略円筒形状で下の折り込み部のポイントシールより下方の領域が開放した形態のパウチを形成し、前記パウチの外周を、シュリンクラベル、ストレッチラベル、シールラベル、紙スリーブのいずれかで、巻装することにより、前記パウチの前記左右のシールを折り込み固定して、略円筒形状のパウチを形成することを特徴とする、円筒パウチである。
【０００７】
また、請求項３記載の発明は、前記パウチの前記左右のシールを折り込み、接着剤、熱溶着、ホットメルト、折り癖のいずれかで固定していることを特徴とする、円筒パウチである。
【０００９】
また、請求項４記載の発明は、上下何れかの折り込み部の、前後何れかのフィルム部分に、注出口の下方に形成された接着基部を介して該注出口が取り付けられていることを特徴とする、円筒パウチである。
【００１０】
また、請求項５記載の発明は、前記注出口は、前記接着基部の側面より外方へと突出しないように形成されていることを特徴とする、円筒パウチである。
【００１１】
また、請求項６記載の発明は、前記接着基部の形状が、前記円筒パウチの円周に沿った形状を有することを特徴とする、円筒パウチである。
【００１２】
また、請求項７記載の発明は、上方の前記前後のフィルム部分の一方を下方に折り込んだ状態で、上方の前記前後のフィルム部分の他方に前記注出口を取り付けることを特徴とする、円筒パウチである。
【００１３】
また、請求項８記載の発明は、上下何れかの、前記前後のフィルム部分の高さが、異なることを特徴とする、円筒パウチである。
【００１５】
また、請求項９記載の発明は、前記パウチに、前記左右のシールに沿って折り癖を形成したことを特徴とする、円筒パウチである。
【発明の効果】
【００１６】
本発明の請求項１記載の発明は、上下に折り込み部を有することにより前後のフィルム部分が形成されたパウチにおいて、内容物の充填に伴い、前記上下の折り込み部が開放して、上下の折り込み部の間の領域が略円筒形状を形成するパウチであって、少なくとも上方の前記前後のフィルム部分が先細り形状であり、前記パウチの、左右のシールの上下の折り込み部の間の領域を折り込むことにより、上下の折り込み部の間の領域が略円筒形状で下の折り込み部が開放した形態のパウチを形成し、前記パウチの外周を、シュリンクラベル、ストレッチラベル、シールラベル、紙スリーブのいずれかで、巻装することにより、前記パウチの前記左右のシールを折り込み固定して、略円筒形状のパウチを形成することを特徴とするから、パウチの左右のシールが突出することを防止して、パウチの胴部を略円筒形状に保持することが可能である。よって、保形性および自立安定性を向上し、陳列性および意匠性を向上した円筒パウチを提供することが可能である。また、パウチの左右のシールが突出することを強固に防止して、パウチの胴部を略円筒形状に形成することが可能である。また、パウチを把持しやすく使用性の高い円筒パウチを提供することが可能である。
また、請求項２記載の発明は、上下に折り込み部を有することにより前後のフィルム部分が形成されたパウチにおいて、内容物の充填に伴い、前記上下の折り込み部が開放して、上下の折り込み部の間の領域が略円筒形状を形成するパウチであって、前記パウチの、下方の前のフィルム部分と後のフィルム部分をシールしてポイントシールを形成するとともに、前記ポイントシールを、左右シールの下方の折り込み部との交点近傍に形成し、前記パウチの、前記左右のシールの上下の折り込み部の間の領域を折り込むことにより、上下の折り込み部の間の領域が略円筒形状で下の折り込み部のポイントシールより下方の領域が開放した形態のパウチを形成し、前記パウチの外周を、シュリンクラベル、ストレッチラベル、シールラベル、紙スリーブのいずれかで、巻装することにより、前記パウチの前記左右のシールを折り込み固定して、略円筒形状のパウチを形成することを特徴とするから、パウチの左右のシールが突出することを防止して、パウチの胴部を略円筒形状に保持することが可能である。よって、保形性および自立安定性を向上し、陳列性および意匠性を向上した円筒パウチを提供することが可能である。さらに、内容物の充填に伴い、前記折り込み部が外方にめくれてしまうことを好適に防止することが可能であり、円筒パウチの自立安定性および意匠性を向上することが可能である。また、パウチの左右のシールが突出することを強固に防止して、パウチの胴部を略円筒形状に形成することが可能である。また、パウチを把持しやすく使用性の高い円筒パウチを提供することが可能である。
【００１７】
また、請求項３記載の発明は、前記パウチの前記左右のシールを折り込み、接着剤、熱溶着、ホットメルト、折り癖のいずれかで固定していることを特徴とするから、簡単な構成により、パウチの左右のシールが突出することを強固に防止して、パウチの胴部を略円筒形状に形成することが可能である。よって、保形性および自立安定性を向上し、陳列性および意匠性を向上した円筒パウチを提供することが可能である。
【００１９】
また、請求項４記載の発明は、上下何れかの折り込み部の、前後何れかのフィルム部分に、注出口の下方に形成された接着基部を介して該注出口が取り付けられていることを特徴とするから、使用性を向上した円筒パウチを提供することが可能である。
【００２０】
また、請求項５記載の発明は、前記注出口は、前記接着基部の側面より外方へと突出しないように形成されていることを特徴とするから、パウチの側面において、注出口が突出することを防止して、パウチの胴部を略円筒形状に形成することが可能である。
【００２１】
また、請求項６記載の発明は、前記接着基部の形状が、前記円筒パウチの円周に沿った形状を有することを特徴とするから、パウチの側面において、注出口が突出することを防止して、パウチの胴部を略円筒形状に形成することが可能である。さらには、パウチの保形性を向上する効果がある。
【００２２】
また、請求項７記載の発明は、上方の前記前後のフィルム部分の一方を下方に折り込んだ状態で、上方の前記前後のフィルム部分の他方に前記注出口を取り付けることを特徴とするから、前後何れかのフィルム部分に前記注出口を取り付ける際に、前後何れかのフィルム部分が干渉することを好適に防止することが可能であり、既存の装置を用いて、注出口を取り付けることが可能である。
【００２３】
また、請求項８記載の発明は、上下何れかの、前記前後のフィルム部分の高さが、異なることを特徴とするから、意匠性ならびに使用性を向上した円筒パウチを提供することが可能である。
【００２５】
また、請求項９記載の発明は、前記パウチに、前記左右のシールに沿って折り癖を形成したことを特徴とするから、前記左右のシールを折り込みやすく、さらには、内容物の充填に伴い、前記折り込み部が外方にめくれてしまうことを好適に防止することが可能であり、円筒パウチの自立安定性および意匠性を向上することが可能である。
【発明を実施するための最良の形態】
【００２６】
本発明の円筒パウチ１０（パウチ１０）の一例としては、図１に示すように、上下に折り込み部Ａ、Ｂをそれぞれ有することにより、それぞれ前後のフィルム部分１，２，３，４が形成されたパウチ１０であって、内容物の充填に伴い、上下の折り込み部Ａ、Ｂが開放するとともに、自立可能な略円筒形状のパウチ１０である。これにより、パウチ１０の保形性および自立安定性を向上することが可能であり、さらには、意匠性ならびに使用性を向上することが可能である。また、前記上方の折り込み部Ａの、前方のフィルム部分１に注出口５を設けてもよい。
【００２７】
特に、前記円筒パウチ１０は、図１（ｂ）に示すように、左右のシール６を折り込んだ状態で固定されており、パウチ１０の左右のシール６が外方へと突出することを防止して、パウチ１０の胴部を略円筒形状に形成することが可能である。
【００２８】
さらには、前記円筒パウチ１０の胴部に、シュリンクフィルム７等を巻装することにより、図１（ａ）に示すように、パウチ１０の左右のシール６が突出することを強固に防止して、パウチ１０の胴部を完全な円筒状に形成することが可能である。
【００２９】
これにより、パウチ１０を持ち、内容物を摂取する際にも、パウチの左右のシール６が手に食い込むことを防止して、安全にパウチ１０を取り扱うことが可能な使用性の高い円筒パウチを提供することが可能である。特に、本発明の円筒パウチ１０は、従来の缶容器同様に略円筒形状を有しているため、自動販売機に充填して使用することも可能である。
【００３０】
以下に、前記円筒パウチ１０の一例について説明する。
まず、前記パウチの一例としては、図２に示すように、上下に折り込み部Ａ，Ｂをそれぞれ有することにより、それぞれ前後のフィルム部分１，２，３，４が形成されたパウチ１０であって、上方の折り込み部Ａの、前方のフィルム部分１には、注出口５を挿入するための開口９が形成されている。前記折り込み部Ａ，Ｂは、後述する、内容物の充填に伴い、上下の折り込み部Ａ、Ｂがそれぞれ開放して、自立可能な略円筒形状のパウチ１０を形成する構成である。
【００３１】
次に、前記パウチに取り付ける注出口５について説明する。
前記注出口５の一例としては、図３に示すように、内容物を取り出す口部と、該口部に図示しないキャップを取り付けるための凸ねじ等を有し、該注出口５の下方には、略舟形状の接着基部８が形成されている。特に、接着基部８の形状は、緩やかな曲面を形成しており、後述する、円筒パウチ１０の側面において、パウチ１０の胴部を略円筒形状に保形することが可能である。
【００３２】
また、前記接着基部８は、図（ａ）（ｂ）に示すように、注出口５の前後で、異なる形状を有しており、特に、注出口５の前方の接着基部の側面８ａは、注出口５を構成する各部位が接着基部の側面８ａより外方に突出しないように形成されている。これにより、円筒パウチ１０の側面において、注出口８の各部位が突出することを防止することが可能である。なお、符号８ｂは、後方の接着基部の側面を示す。
【００３３】
次に、前記注出口５を前記パウチに取り付ける方法の一例について説明する。
前記注出口５を前記パウチに取り付ける際には、図４に示すように、前記パウチの上方の折り込み部Ａの、後方のフィルム部分３を下方へと折り込むことで、開口９を有する前方のフィルム部分１のみを上方へと突出させる。
【００３４】
この状態で、前記フィルム部分１の開口９へと、前記注出口５の接着基部８を挿入し、この状態で、図５に示すように、接着基部８とパウチとをヒートシール（熱溶着）することにより、本発明のパウチ１０を形成することが可能である。このように、上方の折り込み部Ａにおける、後方のフィルム部分３を折り込んだ状態で、前方のフィルム部分１へと注出口５を取り付けることにより、後方のフィルム部分３が干渉して、注出口５のヒートシールを妨げることを防止することが可能である。
【００３５】
そして、このようなパウチ１０の前記注出口５より内容物を充填することにより、上下の折り込み部Ａ，Ｂがそれぞれ開放して、図６に示すように、略円筒形状のパウチ１０を形成することが可能である。
【００３６】
特に、前記注出口５の前方の接着基部の側面８ａの形状が、パウチの円周に沿った緩やかな曲面形状をなしており、図７に示すように、パウチの側面において、パウチ１０の胴部を略円筒形状に保形することが可能である。さらには、前記注出口５を構成する各部位が前方の接着基部の側面８ａより外方に突出しないように形成されており、円筒パウチ１０の側面において、注出口８の各部位がパウチ１０の胴部より外方へと突出することを防止することが可能である。
【００３７】
しかしながら、前記パウチ１０は、左右のシール部分６が、依然、外方へと突出している。このため、パウチ１０を把持した際に、左右のシール部分６が手に当接するため、誤って手を傷つけてしまう恐れがある。このため、前記パウチ１０は、左右のシール６を折り込み、固定することが望ましく、パウチの胴部から、左右のシール６が突出することを防止して、パウチ１０の胴部を略円筒形状に形成することが可能である。
【００３８】
この場合の一例としては、図８に示すように、左右のシール６を、前方若しくは後方へと折り込み、パウチ１０の胴部へと貼り合わせることで、略円筒形状のパウチ１０を形成することが可能である。前記左右のシール６は、接着剤、熱溶着、ホットメルト、粘着テープ等の適宜方法により、パウチ１０の胴部へと貼り合わせることが可能である。また、あらかじめ、左右のシール部６に沿った折り癖を、前記左右のシール部６に形成することで、左右のシール６を折り込みやすくなるとともに、さらには、パウチに内容物を充填した際に、上下の折り込み部Ａ，Ｂが、外方へとめくれ上がることを強固に防止することが可能である。
【００３９】
特に、前記左右のシール６を折り込み固定する方法の別の例としては、パウチ１０の胴部に、シュリンクフィルムやストレッチラベル、紙スリーブ、シールラベル等をパウチの胴部に巻装することで、左右のシール６を強固に折り込み固定することが可能である。
【００４０】
例えば、図９に示すように、パウチ１０の左右のシール６を折り込んだ状態で、パウチ１０の胴部へと、シュリンクフィルム７を巻装し、該シュリンクフィルム７を熱収縮させることにより、図１０に示すように、パウチ１０の胴部を略円筒形状とすることが可能である。そして、注出口５にキャップを取り付けて、本発明の円筒パウチ１０を形成することが可能である。
【００４１】
特に、パウチ１０の胴部にシュリンクフィルム７を形成することで、パウチ１０の胴部全体を略円筒形状に保形することが可能であり、軟包装からなるパウチ１０に強固な保形性および自立安定性を付与することが可能である。よって、陳列性や意匠性を向上したパウチ１０を提供することが可能であり、さらには、パウチを把持しやすく使用性に優れ、また、使用後においても、小さく折りたたみ、減容性に優れた円筒パウチ１０を提供することが可能である。
【００４２】
前記左右のシール６を折り込み固定する方法としては、前記シュリンクフィルム７に限らず、例えば、ストレッチラベルや、紙スリーブ、シールラベル等をパウチの胴部に巻装してもよく、パウチの胴部を略円筒形状に保形することが可能な構成であれば、前記シュリンクフィルム７に限定されるものではない。
【００４３】
本発明の円筒パウチ１０は、上記例に限らず、例えば、上下何れかの折り込み部Ａ，Ｂの、前後何れかのフィルム部分１，３の高さが、互いに異なる構成であってもよく、パウチ１０の意匠性ならびに使用性をさらに向上することが可能である。
【００４４】
この場合の一例としては、図１１に示すように、上下に折り込み部Ａ，Ｂをそれぞれ有し、該折り込み部Ａ、Ｂは、前後のフィルム部分１，２，３，４からなるパウチであって、特に、上方の折り込み部Ａにおける、前方のフィルム部分１と後方のフィルム部分３との、それぞれの高さが異なっており、後述する、注出口５を取り付ける、前方のフィルム部分１がより高く形成されている。
【００４５】
また、前記円筒パウチ１０の、左右のシール６の前記折り込み部Ａ，Ｂとの交点近傍に、前のフィルム部分１，２と後のフィルム部分３，４をシールしてなるポイントシールＰを形成することにより、後述する、内容物の充填に伴い、前記折り込み部Ａ，Ｂが外方にめくれてしまうことを好適に防止することが可能であり、円筒パウチ１０の自立安定性および意匠性を向上することが可能である。
【００４６】
そして、前方のフィルム部分１には、前記注出口５を挿入するための開口９が形成されており、図１２に示すように、前記開口９へと注出口５の接着基部８を挿入し、この部分にヒートシールを施すことにより、本発明のパウチ１０を形成することが可能である。
【００４７】
そして、このようなパウチ１０に内容物を充填することにより、上下の折り込み部Ａ，Ｂがそれぞれ開放して、図１３に示すように、略円筒形状のパウチ１０を形成することが可能である。特に、上方の折り込み部Ａの前後のフィルム部分１，３は、注出口５を有する前方のフィルム部分１が、高く形成されており、パウチ１０を把持した状態で、注出口５がより口元に近づくため、内容物を摂取しやすい効果がある。さらには、パウチ陳列時の意匠性をさらに向上することが可能である。
【００４８】
そして、図１４（ａ）（ｂ）に示すように、左右のシール６を折り込み固定することにより、パウチ１０の胴部が略円筒形状となり、パウチ１０を把持しやすくなる効果がある。さらには、図１５（ａ）（ｂ）に示すように、パウチ１０の胴部にシュリンクフィルム７を巻装することにより、パウチ１０の胴部が、略円筒形状に保形され、パウチ１０の保形性および自立安定性を向上することが可能である。
【００４９】
上記例では、パウチ１０のフィルム部分１に注出口５を形成した例を示したが、本発明の円筒パウチ１０は、上記例に限らず、例えば、図１６（ａ）に示すように、略円筒形状のパウチ１０の、上方の折り込み部Ａへと、ストローＳ等を突き刺して、内容物を摂取する構成であってもよく、さらには、図１６（ｂ）に示すように、上方の折り込み部Ａ，Ｂの、前後のフィルム部分１，３を、それぞれ高さが異なる構成とし、高いフィルム部分３をさらに突出させた飲み口部分３を形成してもよく、該飲み口部分３を水平に切除して開口を形成する構成であってもよい。
【００５０】
何れにせよ、上下に折り込み部Ａ，Ｂを有し、該折り込み部Ａ，Ｂは、前後のフィルム部分１，２，３，４からなるパウチにおいて、内容物の充填に伴い、前記上下の折り込み部Ａ，Ｂが開放して、略円筒形状を形成するパウチ１０であって、前記パウチ１０の、左右のシール６を折り込むことにより、略円筒形状のパウチ１０を形成する構成であればよく、簡単な構成により、パウチ胴部の保形性および自立安定性、陳列性を向上し、意匠性ならびに使用性を向上することが可能な、円筒パウチ１０を形成することが可能である。
【００５１】
前記パウチ１０に用いるフィルムは、主にプラスチックを主体とする積層フィルムが用いられるが、特に限定はされず、各種パウチに用いられている公知の積層フィルムは、いずれも使用できる。これらの中から、包装する内容物の種類や充填後の加熱処理の有無など使用条件に応じて適するものを自由に選択して使用することができる。好ましく使用できる積層フィルムの構成の具体例として、以下のようなものが挙げられるが、これらに限定されるものではなく様々な組み合わせの積層フィルムを使用することができる。
【００５２】
（１）ＰＥＴフィルム ／接着剤／アルミニウム箔／接着剤／ＯＮフィルム ／接着剤／ＰＥフィルム
（２）ＰＥＴフィルム ／接着剤／ＯＮフィルム ／接着剤／アルミニウム箔／接着剤／ＰＥフィルム
（３）ＰＥＴフィルム ／接着剤／ＥＶＯＨフィルム ／接着剤／ＯＮフィルム ／接着剤／ＰＥフィルム
（４）ＰＥＴフィルム ／接着剤／一軸延伸ＰＰフィルム ／接着剤／アルミニウム箔／接着剤／ＰＰフィルム
（５）ＰＥＴフィルム ／接着剤／（シリカまたはアルミナ蒸着層）ＯＮフィルム ／接着剤／ＰＰフィルム
【００５３】
上記構成において、ＰＥＴフィルムは２軸延伸ポリエチレンテレフタレートフィルム 、ＯＮフィルム は２軸延伸ナイロンフィルム 、ＰＰフィルム はポリプロピレンフィルム 、ＣＰＰフィルム は無延伸ポリプロピレンフィルム 、ＥＶＯＨフィルム はエチレン−酢酸ビニル共重合体ケン化物フィルム 、（シリカまたはアルミナ蒸着層）ＯＮフィルム はシリカまたはアルミナを蒸着した２軸延伸ナイロンフィルム を指すものである。
【００５４】
また、パウチ１０に取り付ける前記注出口５についても同様に熱溶着性樹脂層との熱溶着性、および加圧加熱殺菌する場合は、それに耐える耐熱性が必要であり、ポリプロピレンのほか、中密度または高密度ポリエチレン、ポリエステル、ポリカーボネートなどを射出成形した注出口５を適宜使用することが可能である。
【００５５】
以上のように、本発明の円筒パウチ１０は、上下に折り込み部Ａ，Ｂを有することにより前後のフィルム部分１，２，３，４が形成されたパウチにおいて、内容物の充填に伴い、前記上下の折り込み部Ａ，Ｂが開放して、上下の折り込み部Ａ，Ｂの間の領域が略円筒形状を形成するパウチ１０であって、少なくとも上方の前記前後のフィルム部分１，３が先細り形状であり、前記パウチ１０の、左右のシール６の上下の折り込み部Ａ，Ｂの間の領域を折り込むことにより、上下の折り込み部Ａ，Ｂの間の領域が略円筒形状で下の折り込み部Ｂが開放した形態のパウチ１０を形成することを特徴とするから、パウチ１０の左右のシール６が突出することを防止して、パウチ１０の胴部を略円筒形状に保持することが可能である。よって、保形性および自立安定性を向上し、陳列性および意匠性を向上した円筒パウチ１０を提供することが可能である。特に、本発明の円筒パウチ１０は、従来の缶容器同様に略円筒形状を有しているため、自動販売機に充填して使用することも可能である。
また、上下に折り込み部Ａ，Ｂを有することにより前後のフィルム部分１，２，３，４が形成されたパウチにおいて、内容物の充填に伴い、前記上下の折り込み部Ａ，Ｂが開放して、上下の折り込み部Ａ，Ｂの間の領域が略円筒形状を形成するパウチ１０であって、前記パウチ１０の、下方の前のフィルム部分２と後のフィルム部分４をシールしてポイントシールＰを形成するとともに、前記ポイントシールＰを、左右シール６の下方の折り込み部Ｂとの交点近傍に形成し、前記パウチ１０の、前記左右のシール６の上下の折り込み部Ａ，Ｂの間の領域を折り込むことにより、上下の折り込み部Ａ，Ｂの間の領域が略円筒形状で下の折り込み部ＢのポイントシールＰより下方の領域が開放した形態のパウチ１０を形成することを特徴とするから、パウチ１０の左右のシール６が突出することを防止して、パウチ１０の胴部を略円筒形状に保持することが可能である。よって、保形性および自立安定性を向上し、陳列性および意匠性を向上した円筒パウチ１０を提供することが可能である。さらに、内容物の充填に伴い、前記折り込み部Ａ，Ｂが外方にめくれてしまうことを好適に防止することが可能であり、円筒パウチ１０の自立安定性および意匠性を向上することが可能である。
【００５６】
また、前記パウチ１０の前記左右のシール６を折り込み、接着剤、熱溶着、ホットメルト、折り癖のいずれかで固定することにより、略円筒形状のパウチ１０を形成することを特徴とするから、簡単な構成により、パウチの左右のシール６が突出することを強固に防止して、パウチ１０の胴部を略円筒形状に形成することが可能である。よって、保形性および自立安定性を向上し、陳列性および意匠性を向上した円筒パウチ１０を提供することが可能である。
【００５７】
また、前記円筒パウチ１０の外周を、シュリンクラベル７、ストレッチラベル、シールラベル、紙スリーブのいずれかで、巻装することにより、前記パウチの前記左右のシール６を折り込み固定して、略円筒形状のパウチ１０を形成することを特徴とするから、パウチの左右のシール６が突出することを強固に防止して、パウチ１０の胴部を略円筒形状に形成することが可能である。よって、保形性および自立安定性を向上し、陳列性および意匠性を向上した円筒パウチ１０を提供することが可能である。さらには、パウチ１０を把持しやすく使用性の高い円筒パウチ１０を提供することが可能である。
【００５８】
また、上下何れかの折り込み部Ａ，Ｂの、前後何れかのフィルム部分１，２，３，４に、注出口５の下方に形成された接着基部８を介して該注出口５が取り付けられていることを特徴とするから、使用性を向上した円筒パウチ１０を提供することが可能である。
【００５９】
また、前記注出口５は、前記接着基部８の側面より外方へと突出しないように形成されていることを特徴とするから、パウチ１０の側面において、注出口５が突出することを防止して、パウチ１０の胴部を略円筒形状に形成することが可能である。
【００６０】
また、前記接着基部８の形状が、前記円筒パウチ１０の円周に沿った形状を有することを特徴とするから、パウチ１０の側面において、注出口５が突出することを防止して、パウチ１０の胴部を略円筒形状に形成することが可能である。さらには、パウチ１０の保形性を向上する効果がある。
【００６１】
また、上下何れかの、前記前後のフィルム部分１，２，３，４の高さが、異なることを特徴とするから、意匠性ならびに使用性を向上した円筒パウチ１０を提供することが可能である。
【００６２】
また、上方の前記前後のフィルム部分１，３の一方を下方に折り込んだ状態で、上方の前記前後のフィルム部分１，３の他方に注出口５を取り付けることを特徴とするから、前後何れかのフィルム部分に前記注出口５を取り付ける際に、前後何れかのフィルム部分が干渉することを好適に防止することが可能であり、既存の装置を用いて、注出口５を取り付けることが可能である。
【００６４】
また、前記パウチ１０に、前記左右のシール６に沿って折り癖を形成したことを特徴とするから、前記左右のシール６を折り込みやすく、さらには、内容物の充填に伴い、前記折り込み部Ａ，Ｂが外方にめくれてしまうことを好適に防止することが可能であり、円筒パウチ１０の自立安定性および意匠性を向上することが可能である。
【図面の簡単な説明】
【００６５】
【図１】（ａ）（ｂ）本発明の円筒パウチの一例を示す説明図である。
【図２】パウチの一例を示す説明図である。
【図３】注出口の一例を示す説明図である。    （ａ）注出口の正面を示す図である。    （ｂ）注出口の背面を示す図である。
【図４】本発明の円筒パウチを形成する方法の一例を示す説明図である。
【図５】本発明の円筒パウチを形成する方法の一例を示す説明図である。
【図６】本発明の円筒パウチの一例を示す説明図である。
【図７】本発明の円筒パウチの一例を示す説明図である。
【図８】本発明の円筒パウチの一例を示す説明図である。    （ａ）パウチの正面を示す図である。    （ｂ）パウチの側面を示す図である。
【図９】本発明の円筒パウチの一例を示す説明図である。
【図１０】本発明の円筒パウチの一例を示す説明図である。
【図１１】パウチの別の例を示す説明図である。
【図１２】本発明の円筒パウチを形成する方法の一例を示す説明図である。
【図１３】本発明の円筒パウチの一例を示す説明図である。
【図１４】本発明の円筒パウチの一例を示す説明図である。    （ａ）パウチの正面を示す図である。    （ｂ）パウチの側面を示す図である。
【図１５】本発明の円筒パウチの一例を示す説明図である。    （ａ）パウチの正面を示す図である。    （ｂ）パウチの側面を示す図である。
【図１６】（ａ）（ｂ）本発明の円筒パウチのさらに別の例を示す説明図である。
【図１７】従来パウチの一例を示す図である。
【符号の説明】
【００６６】
１  前方のフィルム部分
２  前方のフィルム部分
３  後方のフィルム部分
４  後方のフィルム部分
５  注出口
６  左右のシール部分
７  シュリンクフィルム
８  接着基部
８ａ  前方の接着基部の側面
８ｂ  後方の接着基部の側面
９  開口
１０  円筒パウチ（パウチ）
Ａ  上方の折り込み部
Ｂ  下方の折り込み部
Ｐ  ポイントシール
Ｓ  ストロー
【図１】
0005688872.tif 000002
【図２】
0005688872.tif 000003
【図３】
0005688872.tif 000004
【図４】
0005688872.tif 000005
【図５】
0005688872.tif 000006
【図６】
0005688872.tif 000007
【図７】
0005688872.tif 000008
【図８】
0005688872.tif 000009
【図９】
0005688872.tif 000010
【図１０】
0005688872.tif 000011
【図１１】
0005688872.tif 000012
【図１２】
0005688872.tif 000013
【図１３】
0005688872.tif 000014
【図１４】
0005688872.tif 000015
【図１５】
0005688872.tif 000016
【図１６】
0005688872.tif 000017
【図１７】
0005688872.tif 000018